【手続補正書】
【提出日】令和2年10月7日(2020.10.7)
【手続補正１】
【補正対象書類名】特許請求の範囲
【補正対象項目名】全文
【補正方法】変更
【補正の内容】
【特許請求の範囲】
【請求項１】
少なくとも部分的に装置を用いて支援された人工呼吸を患者に行うための人工呼吸器用の呼気弁（１０）であって、局所的に軸方向、径方向及び周方向を画定する通過軌道（Ｄ１、Ｄ２）に沿って延在する流路（１６）を有するバルブハウジング（１４）が含まれており、前記流路に沿って、呼吸気は、前記バルブハウジング（１４）を貫流することが可能であり、前記バルブハウジング（１４）は、前記通過軌道（Ｄ１）の周りを取り巻く閉じられた端面（２４）を備えた、ハウジングに固定されたバルブ部分構造を有しており、前記バルブハウジング（１４）に対して移動し得るバルブ本体（１２）の、前記端面（２４）の方向を向いた合わせ面（２６）には、プレテンション装置（３８）によって、プレテンションが加えられ、その結果、前記合わせ面（２６）は、呼気の流れ方向（Ｅ）において前記プレテンション装置（３８）のプレテンション力に反して呼吸ガスが流入することによって、前記端面（２４）と前記合わせ面（２６）との間に形成可能又は存在し得る環状間隙（４２）の取り外し方向（Ａ）における拡大のもとに、前記端面（２４）から取り除かれ得るので、前記流路（１６）は、前記呼気の流れ方向（Ｅ）において貫流可能であり、前記呼気の流れ方向（Ｅ）とは反対の流れ方向への前記流路（１６）の貫流は、前記バルブ本体（１２）の前記合わせ面（２６）が前記端面（２４）に接することによって、遮断され得る呼気弁（１０）において、
前記バルブ本体（１２）がエプロン（４４）を有しており、前記エプロンは、通常の呼吸流量によって負荷を与えられていない基準状態において前記呼気弁（１０）を見た場合に、前記合わせ面（２６）と前記端面（２４）とを包囲するように、周方向において延在しており、前記基準状態において、前記取り外し方向（Ａ）とは反対に、前記合わせ面（２６）から離れる方向において、前記端面（２４）から突出しており、前記エプロン（４４）と、前記バルブ部分構造の前記端面（２４）を有する端部（２２）との間には、径方向において、環状間隙空間（４６）が設けられていることを特徴とする呼気弁（１０）。
【請求項２】
前記合わせ面（２６）から離れたエプロン縁部（４８）の前記合わせ面（２６）からの、前記取り外し方向（Ａ）に対して平行に測定されるべき間隔（ｈ）が、少なくとも周方向の部分において、周方向におけるそれぞれの位置に依存して、異なる大きさを有することを特徴とする、請求項１に記載の呼気弁（１０）。
【請求項３】
前記合わせ面（２６）から離れた前記エプロン縁部（４８）が、周方向において延在する波形の形状を有していることを特徴とする、請求項２に記載の呼気弁（１０）。
【請求項４】
前記波形の形状が、三角波及び／又は矩形波及び／又はピッチ円の波及び／又は正弦波の形状を有することを特徴とする、請求項３に記載の呼気弁（１０）。
【請求項５】
前記取り外し方向（Ａ）の反対方向において、前記合わせ面（２６）から最も遠くに位置する波の山の極値点の少なくとも一部が、及び／又は、前記取り外し方向（Ａ）の反対方向において、前記合わせ面の最も近くに位置する波の谷の極値点の少なくとも一部が、一つの平面（Ｅ１、Ｅ２）に位置していることを特徴とする、請求項３又は４に記載の呼気弁（１０）。
【請求項６】
前記一つの平面（Ｅ１、Ｅ２）に位置し、前記取り外し方向（Ａ）の反対方向において、前記合わせ面（２６）から最も遠くに位置する波の山の極値点の前記少なくとも一部が、前記一つの平面（Ｅ１、Ｅ２）に位置し、前記取り外し方向（Ａ）の反対方向において、前記合わせ面（２６）から最も遠くに位置する波の山の極値点のすべてであることを特徴とする、請求項５に記載の呼気弁（１０）。
【請求項７】
前記一つの平面（Ｅ１、Ｅ２）に位置し、前記取り外し方向（Ａ）の反対方向において、前記合わせ面の最も近くに位置する波の谷の極値点の前記少なくとも一部が、前記一つの平面（Ｅ１、Ｅ２）に位置し、前記取り外し方向（Ａ）の反対方向において、前記合わせ面の最も近くに位置する波の谷の極値点のすべてであることを特徴とする、請求項５又は６に記載の呼気弁（１０）。
【請求項８】
前記一つの平面（Ｅ１、Ｅ２）が、平面の貫通点における前記通過軌道（Ｄ１、Ｄ２）の進路及び／又は前記取り外し方向（Ａ）に対して直交する平面（Ｅ１、Ｅ２）であることを特徴とする、請求項５から７のいずれか一項に記載の呼気弁（１０）。
【請求項９】
前記合わせ面（２６）及び／又は前記端面（２４）が、平面に配置されていることを特徴とする、請求項１から８のいずれか一項に記載の呼気弁（１０）。
【請求項１０】
前記合わせ面（２６）及び／又は前記端面（２４）が、平らであることを特徴とする、請求項９に記載の呼気弁（１０）。
【請求項１１】
前記端面（２４）が、前記バルブ部分構造の前記端部（２２）としての、前記流路（１６）の管状部分（１８）の長手方向端部（２２）に配置されており、前記エプロン（４４）は前記基準状態において、前記通過軌道（Ｄ１、Ｄ２）に沿って延在し、かつ、周方向において前記管状部分（１８）の周りに延在する前記管状部分（１８）の端部領域（２２）を包囲していることを特徴とする、請求項１から１０のいずれか一項に記載の呼気弁（１０）。
【請求項１２】
前記管状部分（１８）の前記長手方向端部（２２）の径方向外側の領域において面取りが行われていることを特徴とする、請求項１１に記載の呼気弁（１０）。
【請求項１３】
前記エプロン（４４）が、前記基準状態において、前記取り外し方向（Ａ）とは反対方向に、前記端面（２４）から軸方向においてさらに離れて位置する面取り部の端部（５６）を越えて延在していることを特徴とする、請求項１２に記載の呼気弁（１０）。
【請求項１４】
前記基準状態において、前記端面（２４）のより近くに位置する面取り部の端部（５４）の、前記エプロン（４４）の径方向内側を向いた壁からの径方向間隔と、前記エプロン（４４）及び管状部分（１８）が、前記取り外し方向（Ａ）に対して平行に重なる深さとが、２０％よりも大きくないことを特徴とする、請求項８に記載の呼気弁（１０）。
【請求項１５】
前記基準状態において、前記環状間隙空間（４６）の径方向寸法と、前記エプロン（４４）の径方向厚さ（ｓ）とが、前記合わせ面（２６）から離れて位置するエプロン縁部（４８）を含む前記エプロン（４４）の端部領域において、２０％よりも大きくないことを特徴とする、請求項１から１４のいずれか一項に記載の呼気弁（１０）。
【請求項１６】
前記流路（１６）の一部（２０）が、呼吸管（１８）と、前記呼吸管（１８）を包囲する環状導管（３２）とによって形成されており、前記端面（２４）と前記合わせ面（２６）との間の前記環状間隙（４２）は、流体力学的に、前記呼気の流れ方向（Ｅ）において、前記呼吸管（１８）と前記環状導管（３２）との間に形成されていることを特徴とする、請求項１から１５のいずれか一項に記載の呼気弁（１０）。
【請求項１７】
前記流路（１６）の前記一部（２０）が、前記呼吸管（１８）と、前記呼吸管（１８）を同軸に包囲する前記環状導管（３２）とによって形成されていることを特徴とする、請求項１６に記載の呼気弁（１０）。
【請求項１８】
前記バルブ本体（１２）が、前記合わせ面（２６）を有する、略平らなプレート部分（２８）であって、該プレート部分（２８）を径方向外側において包囲する固定部分（４０）と接続されている、プレート部分（２８）を備えていることを特徴とする、請求項１から１７のいずれか一項に記載の呼気弁（１０）。
【請求項１９】
平らな前記プレート部分（２８）が、プレテンション装置（３８）としてダイヤフラムスプリング（３８）を用いて、前記プレート部分（２８）を径方向外側において包囲する固定部分（４０）と接続されていることを特徴とする、請求項１８に記載の呼気弁（１０）。
【請求項２０】
前記プレート部分（２８）が、補強部材（６０）によって補強されていることを特徴とする、請求項１８又は１９に記載の呼気弁（１０）。
【請求項２１】
前記補強部材（６０）が、金属ディスク及び／又はセラミックディスクであることを特徴とする、請求項２０に記載の呼気弁（１０）。
【請求項２２】
前記補強部材（６０）は、前記プレート部分（２８）の前記端面（２６）から離れる方向を向いた側において、少なくとも部分的に露出していることを特徴とする、請求項２０又は２１に記載の呼気弁（１０）。
【請求項２３】
前記プレテンション装置（３８）が、前記合わせ面（２６）に、前記取り外し方向に対して直交する平面において、所定の静止位置にプレテンションを加え、及び／又は、取り外し動作及びリセット動作の間に、前記取り外し方向（Ａ）に、又は、前記取り外し方向（Ａ）の反対方向に前記合わせ面（２６）を誘導することを特徴とする、請求項１から２２のいずれか一項に記載の呼気弁（１０）。
【請求項２４】
前記プレテンション装置（３８）が、前記合わせ面（２６）の領域において、前記通過軌道（Ｄ１、Ｄ２）に関して前記合わせ面（２６）のセンタリングを行うことを特徴とする、請求項２３に記載の呼気弁（１０）。
【請求項２５】
前記バルブハウジング（１４）には、アクチュエータ（６３）が接続されており、前記アクチュエータによって、制御要素（６４）は、少なくとも前記合わせ面（２６）を前記取り外し方向（Ａ）とは反対方向に変位させるために、前記バルブ本体（１２）と協働することを特徴とする、請求項１から２４のいずれか一項に記載の呼気弁（１０）。
【請求項２６】
前記アクチュエータ（６３）の前記制御要素（６４）が、前記合わせ面を前記取り外し方向にも前記取り外し方向の反対方向にも変位させるために、前記バルブ本体に連結されているか、又は、連結可能であることを特徴とする、請求項２５に記載の呼気弁（１０）。
【請求項２７】
呼吸ガス輸送ポンプ、請求項１から２６のいずれか一項に記載の呼気弁（１０）、及び、吸気弁を有する、少なくとも部分的に装置を用いて支援された人工呼吸を患者に行うための人工呼吸器。
【請求項２８】
呼気弁（１０）のためのバルブ本体（１２）であって、弁座面（２４）と接触するように構成された接触面（２６）が含まれており、前記接触面は、移動軸（Ｋ）に沿って、取り外し方向（Ａ）において、及び、取り外し方向（Ａ）の反対方向に移動可能であり、前記接触面（２６）は、前記移動軸（Ｋ）と角度を成しており、前記バルブ本体（１２）はエプロン（４４）を有しており、前記エプロンは、前記接触面（２６）を、前記移動軸（Ｋ）に関して径方向外側において包囲すると共に、前記接触面を有するバルブ本体部分（２８）を始点として、前記移動軸（Ｋ）に関して軸方向に、前記バルブ本体部分（２８）から張り出しており、その際、前記接触面（２６）から軸方向に突出していることを特徴とする、バルブ本体（１２）。
【請求項２９】
前記呼気弁（１０）が、請求項１から２６のいずれか一項に記載の呼気弁（１０）であることを特徴とする、請求項２８に記載のバルブ本体（１２）。
【請求項３０】
前記角度が直角であることを特徴とする、請求項２８又は２９に記載のバルブ本体（１２）。
【手続補正２】
【補正対象書類名】明細書
【補正対象項目名】００８１
【補正方法】変更
【補正の内容】
【００８１】
アクチュエータタペット６４は、補強ディスク６０に向けて下降することによって、補強ディスク６０と接触係合し得る。接触係合を形成した後で、アクチュエータタペット６４をさらに下降させることによって、補強ディスクを含めたプレート状部分２８全体が、呼吸管１８の端部２２に向けて移動し得る。取り外し方向Ａにタペット６４を戻すことによって、タペット６４は、補強ディスク６０から取り外され得る。タペット６４は、電磁石によって、移動するように駆動され得る。同様に、タペット６４は、電動機の駆動部によって、ギアを用いて、本体軸Ｋに沿って移動するように駆動されてもよい。